(57)【要約】【課題】見栄えに優れ、デザイン性を向上させることが可能な指針式計器装置を提供する。【解決手段】指示部４および基部１８を有し指針用発光ダイオード１０の点灯により発光する指針５と、この指針５の背後に配置される表示板７と、この表示板７の周縁および基部１８の前方側に配置され表示板７の可視領域を定める開口部１４を有する覆い部材１５とを備え、基部１８は基部１８内に入射した指針用発光ダイオード１０の光を指示部４側に反射させる第１の反射面２１と、基部１８の周面２３側に反射させる第２の反射面２２とを有しており、基部１８の近傍に周面２３から出射した光を開口部１４側に反射させる反射体１３を設けた。【選択図】図２
2008298552.tif 000002
【特許請求の範囲】
【請求項１】
指示部および基部を有し光源の点灯により発光する指針と、この指針の背後に配置される表示板と、この表示板の周縁および前記基部の前方側に配置され前記表示板の可視領域を定める開口部を有する覆い部材とを備え、前記基部は前記基部内に入射した前記光源の光を前記指示部側に反射させる第１の反射面と、前記基部の周面側に反射させる第２の反射面とを有しており、前記基部の近傍に前記周面から出射した光を前記開口部側に反射させる反射体を設けたことを特徴とする指針式計器装置。
【請求項２】
前記反射体が前記表示板を保持するケース体に設けられていることを特徴とする請求項１に記載の指針式計器装置。
【請求項３】
前記反射体が前記覆い部材に設けられていることを特徴とする請求項１に記載の指針式計器装置。
【請求項４】
前記開口部に反射壁を設けたことを特徴とする請求項１から請求項３の何れかに記載の指針式計器装置。
【請求項５】
前記第２の反射面が略円錐形状に形成されていることを特徴とする請求項１から請求項４の何れかに記載の指針式計器装置。
【請求項６】
前記周面に拡散処理を施したことを特徴とする請求項１から請求項５の何れかに記載の指針式計器装置。
【発明の詳細な説明】
【技術分野】
【０００１】
本発明は、例えば車両に搭載される計器装置に関し、特に光源からの光を受けて光輝する指針を備えた計器装置に関するものである。
【背景技術】
【０００２】
従来の指針を備えた計器装置は、特許文献１に記載されたものが知られている。特許文献１に記載されている計器は、指針と文字板と光導板を備えており、指針の背後に配置された光導板から導かれた光源からの光を指針の受光部から受光し、反射面で反射させて指針全体を光輝させるものである。
【特許文献１】実公昭６１−３５９２５号公報
【発明の開示】
【発明が解決しようとする課題】
【０００３】
しかしながら、前記特許文献１における計器は、光導板から導かれた光源からの光を指針の受光部から受光し、反射面で反射させて指針の指示部を単に光輝させるものであり、見栄えが単純でデザイン性に欠けていた。
【０００４】
本発明はこの様な点に鑑みなされたもので、見栄えに優れ、デザイン性を向上させることが可能な指針式計器装置を提供することを目的とする。
【課題を解決するための手段】
【０００５】
本発明は前記目的を達成するため、指示部および基部を有し光源の点灯により発光する指針と、この指針の背後に配置される表示板と、この表示板の周縁および前記基部の前方側に配置され前記表示板の可視領域を定める開口部を有する覆い部材とを備え、前記基部は前記基部内に入射した前記光源の光を前記指示部側に反射させる第１の反射面と、前記基部の周面側に反射させる第２の反射面とを有しており、前記基部の近傍に前記周面から出射した光を前記開口部側に反射させる反射体を設けたものである。
【０００６】
また、前記反射体が前記表示板を保持するケース体に設けられているものである。
【０００７】
また、前記反射体が前記覆い部材に設けられているものである。
【０００８】
また、前記開口部に反射壁を設けたものである。
【０００９】
また、前記第２の反射面が略円錐形状に形成されているものである。
【００１０】
また、前記周面に拡散処理を施したものである。
【発明の効果】
【００１１】
見栄えに優れ、デザイン性を向上させることが可能な指針式計器装置を得ることができる。
【発明を実施するための最良の形態】
【００１２】
図１は、本発明の実施形態を示す車両用の指針式計器装置の正面図であり、図２はその断面図（図１に於けるＡ−Ａ断面）である。
【００１３】
指針式計器装置は、硬質な回路基板１と、この回路基板１の裏面側に回路基板１と導通状態で装着され、回路基板１を貫通して前方に延びる回動軸２を有する計器本体３と、回動軸２に固着され指示部４を有する指針５と、この指針５の背後に配置され指示部４の指示対象となる表示部６が施された表示板７と、この表示板７と回路基板１との間に配置され表示板７が保持されるケース体８と、回路基板１に装着され例えば車両の走行距離や燃料残量などが表示される液晶表示器９を備えている。
【００１４】
また、回動軸２周囲の回路基板１上に実装され指針５の指示部４を照明する光源としての指針用発光ダイオード１０と、表示板７の表示部６を照明するための光源としての表示板用発光ダイオード１１と、この表示板用発光ダイオード１１からの光を表示板７の裏面側に導く導光体１２と、指針５の近傍に設けた反射体１３と、表示板７の可視領域を定める開口部１４を有する覆い部材１５と、表示板７や覆い部材１５などの前方側を被い光透過性を有する例えば暗色系の合成樹脂からなる上カバー１６と、回路基板１の裏面側を覆う合成樹脂製の下カバー１７を備えている。
【００１５】
指針５は、無色透明な合成樹脂からなる指示部４の他に、指示部４と一体形成された基部１８と、基部１８の前方側を覆う遮光性の合成樹脂からなる指針キャップ１９を備えている。指示部４の裏面には例えば赤色の箔（図示せず）がホットスタンプされている。基部１８は、計器本体３の回動軸２の先端側に圧入される指針軸２０と、第１の反射面２１および第２の反射面２２を有している。なお、指示部４と基部１８は別体であっても良い。
【００１６】
第１の反射面２１は、基部１８内に入射した指針用発光ダイオード１０からの光を指示部４の先端側に向けて反射させるようになっており、ほぼ４５度の傾斜した平面で形成されている。第２の反射面２２は、基部１８内に入射した光を基部１８の周面２３側に反射させるようになっており、第１の反射面２１を除いて指針軸２０の軸心を原点としたほぼ４５度の傾斜した略円錐面で形成されている。また、周面２３には拡散処理としての例えば微細なシボ（図示せず）が施してある。
【００１７】
ケース体８は、遮光性のある例えば白色の合成樹脂からなり、底壁２４と、回動軸２の周囲に配置された指針用発光ダイオード１０を囲むように表示板７と回路基板１との間に配置された略円形の筒部２５と、断面形状が表示板用発光ダイオード１１側の底壁２４から表示板７の周縁側に向けて湾曲状に傾斜して形成された傾斜壁２６と、外周壁２７などを有している。
【００１８】
表示板７は、合成樹脂製の無色透明な基板の表面側に例えば車両の速度を現す目盛，数字などの表示部６を例えば白色の着色透過層で印刷した後、表示部６以外の地部２８となる箇所を例えば黒色の遮光層で印刷したものである。なお、図１に於いては、表示部６を黒色で、地部２８を無色で示す。
【００１９】
覆い部材１５は、遮光性のある例えば黒色の合成樹脂からなり、表示板７の周縁の前方側に配置される周縁部２９と、指針５の基部１８の前方側に配置される中央部３０を有している。中央部３０は周縁部２９から指針５の基部１８を覆うように延設されている。覆い部材１５によって、表示板７や指針５の可視領域以外、つまり表示板７の周縁，指針５の基部１８および基部１８周辺，ケース体８などが覆われている。また、開口部１４には反射壁３１が設けてある。また、中央部３０には液晶表示器の表示が臨まれる開口窓３２が設けてある。
【００２０】
反射体１３は、指針５が回動した際に妨げとならない箇所の基部１８近傍にケース体８と一体に設けてあり、基部１８の周面２３から出射した光を反射させて、覆い部材１５の中央部３０側の開口部１４から周縁部２９側の開口部１４側に向けて反射光が導かれるようにしてある。なお、反射体１３は覆い部材１５と一体に設けても良い。或いは、別体で形成したものをケース体８或いは覆い部材１５に固着するようにしても良く、材質，形状は任意である。要は基部１８の周面２３から出射して反射体１３で反射した光が、覆い部材１５の中央部３０と表示板７との間から出射されるようになっていれば良い。
【００２１】
導光体１２は、無色透明な合成樹脂からなり、断面が略Ｌ字形状でケース体８の筒部２５を囲むようにケース体８の底壁２４に配置してある。そして、例えば白色で発光する表示板用発光ダイオード１１を点灯させることにより、導光体１２内に入射した光は導光体反射面３３で反射して導光体出射面３４から出射し、ケース体８の傾斜壁２６で反射して表示板７側に向かう。そして、表示板７の表示部６が白色で透過照明されるようになる。なお、導光体出射面３４から出射した光は全て傾斜壁２６で反射するものではなく、底壁２４に反射して表示板７側に向かう光もある。或いは、導光体反射面３３から出射して表示板７の裏面を直射する光もある。
【００２２】
この様に構成した指針式計器装置に於いて、指針５は例えば白色で発光する指針用発光ダイオード１０を点灯させることにより、基部１８から入射して第１の反射面２１で反射して指示部４側に導かれた光が指示部４の裏面に設けられた白色の箔に反射して指示部４が白色で光輝するようになっている。
【００２３】
また、基部１８から入射して第２の反射面２２で反射した光は周面２３から出射する。そして、周面２３から出射した光は反射体１３に反射した後、中央部３０と表示板７との間から出射される。これらの光は基部１８周辺の表示板７を照らしたり、開口部１４に設けられた反射壁３１をうっすらと照らしたりする。
【００２４】
この様に、指針５の基部１８に基部１８の周面２３側に指針用発光ダイオード１０からの光を反射させる第２の反射面２２を設けるとともに、基部１８の近傍に周面２３から出射した光を覆い部材１５の開口部１４側に反射させる反射体１３を設けたことにより、指針５の基部１８周辺を照射することができ、見栄えに優れ、デザイン性を向上させることができる。
【００２５】
また、反射体１３をケース体８或いは覆い部材１５に設けることにより、別体の反射体を用意する必要が無くコストアップを抑えられる。また、覆い部材１５の開口部１４に反射壁３１を設けたことにより、覆い部材１５の中央部３０と表示板７との間から出射した光が反射壁３１を照らすことになり、指針５の指示部４や表示板７の表示部６以外の箇所を加飾することができ、デザイン性，商品性を向上させることができる。
【００２６】
また、指針５の基部１８を円錐状としたことにより、指針５が回動しても周面２３から光を出射でき、基部１８周囲の表示板７や反射壁３１を常に照射することが可能となる。また、周面２３に微細なシボを施したことにより、周面２３から出射する光を均一化することができ、延いては覆い部材１５の中央部３０と表示板７との間から出射する光がほぼ均一となり、デザイン性が向上する。
【００２７】
なお、第１の反射面２１は第２の反射面２２と同一形状であっても良い。即ち、指針用発光ダイオード１０から基部１８内に入射した光を反射させる反射面は円錐形状であっても良い。
【図面の簡単な説明】
【００２８】
【図１】本発明の実施形態を示す指針式計器装置の正面図。
【図２】同指針式計器装置の部分断面図（図１に於けるＡ−Ａ断面）。
【符号の説明】
【００２９】
４  指示部
５  指針
７  表示板
８  ケース体
１０  指針用発光ダイオード（光源）
１３  反射体
１４  開口部
１５  覆い部材
１８  基部
２１  第１の反射面
２２  第２の反射面
２３  周面
３１  反射壁
【図１】
2008298552.tif 000003
【図２】
2008298552.tif 000004